(57)【要約】【課題】  循環具本体の厚みを変えることなく、凹凸の係合関係による抜け防止手段の機能を十分に発揮することができる浴槽用循環具を提供する。【解決手段】  浴槽用循環具１１は、浴槽の側壁に固定されるスリーブ１４と、側壁の外部に配設される後面ケース１５と、スリーブ１４に固定される循環具本体１６と、循環具本体１６の前面に取付けられるフィルターケース１７とを備えている。スリーブ１４の環状係合溝３１には循環具本体１６の抜け防止爪が係合されている。循環具本体１６の前面に設けられた吸入部と吸入用通水路又は吐出用通水路との間には開閉弁が設けられ、吐出用開口部には逆止弁が設けられている。循環具本体１６の前面には第１カバー６３及び第２カバー７１が装着されている。それらの第１カバー６３及び第２カバー７１の表面は循環具本体１６の前面とほぼ面一になっている。【選択図】      図１
2005345070.tif 000002
【特許請求の範囲】
【請求項１】
浴槽の側壁に貫通された状態で固定され、外部の加熱器と浴槽内との間で浴槽水の循環を行わせるための浴槽用循環具であって、
浴槽の側壁に設けられた貫通孔に挿通された状態で側壁に固定されるスリーブと、そのスリーブに固定され、浴槽水の吸入用開口部及び吐出用開口部を有する循環具本体とを備え、スリーブと循環具本体との間には凹凸の係合関係により循環具本体の抜け出しを防止する抜け防止手段を設けると共に、循環具本体の前面には吸入用開口部及び吐出用開口部を開閉する開閉弁を設け、かつ循環具本体の前面には装着用凹部を設けて前記開閉弁を覆うカバーをその表面が循環具本体の前面とほぼ面一となるように装着したことを特徴とする浴槽用循環具。
【請求項２】
前記循環具本体の装着用凹部は周縁部まで延びるように構成され、カバーはその装着用凹部に装着されるように構成されている請求項１に記載の浴槽用循環具。
【請求項３】
前記吐出用開口部に設けられた開閉弁は弁体が容器内に収容され、付勢部材の付勢力によって開閉を行う逆止弁で構成されると共に、前記カバーは逆止弁を出し入れするために着脱可能に構成されている請求項１又は請求項２に記載の浴槽用循環具。
【発明の詳細な説明】
【技術分野】
【０００１】
本発明は、浴槽水を外部の加熱器を介して循環させる配管を浴槽に接続し、浴槽水を加熱するための浴槽用循環具に関するものである。
【背景技術】
【０００２】
この種の浴槽用循環具としては、例えば特許文献１に記載されているような構成のものが知られている。すなわち浴槽用循環具は、浴槽の側壁に設けられた貫通孔に固定されるスリーブと、そのスリーブ内に挿入されて固定され、浴槽水の吸入用開口と吐出用開口とを有する循環具本体とを備えている。前記スリーブと循環具本体との間には凹凸による係合関係で循環具本体を位置決めするための位置決め手段と、同じく凹凸の係合関係により循環具本体の抜け出しを防止する抜け防止手段とが設けられている。しかし、この構成では、吐出用開口から吐出された浴槽水の一部が吸入用開口から吸入される場合があり、加熱効率が悪いという欠点があった。
【０００３】
そこで、このような欠点を解消するために、特許文献２には吸入用開口及び吐出用開口に開閉弁を設けた浴槽用循環具が開示されている。すなわち湯水循環用接続具は、往路用並びに復路用の各湯水通路を内部に区画形成した接続具本体に吐出口及び吸込口が設けられ、吐出口には開閉板が設けられ、吸込口には開閉可能な仕切板が設けられている。更に接続具本体の前面全体には本体キャップ部が被せられ、その上がフィルターキャップで覆われている。
【特許文献１】特開平９−１６６３５７号公報（第２頁及び図１）
【特許文献２】特開２００１−１９４０１０号公報（第２頁及び図４）
【発明の開示】
【発明が解決しようとする課題】
【０００４】
ところが、前記本体キャップ部は接続具本体の前面全体に被せられていることから、接続具本体は本体キャップ部の分だけ厚くなり、延いては湯水循環用接続具が厚くなって浴槽内への突出量が大きくなり好ましくない。このため、本体キャップ部の厚みの分だけ接続具本体の厚みを薄くすることが考えられる。しかしながら、接続具本体に凹凸の係合関係による抜け防止手段を設けた場合、凹凸の係合関係が弱くなるおそれがある。
【０００５】
本発明は、このような従来技術に存在する問題点に着目してなされたものである。その目的とするところは、循環具本体の厚みを変えることなく、凹凸の係合関係による抜け防止手段の機能を十分に発揮することができる浴槽用循環具を提供することにある。
【課題を解決するための手段】
【０００６】
上記の目的を達成するために、請求項１に記載の発明の浴槽用循環具は、浴槽の側壁に貫通された状態で固定され、外部の加熱器と浴槽内との間で浴槽水の循環を行わせるための浴槽用循環具であって、浴槽の側壁に設けられた貫通孔に挿通された状態で側壁に固定されるスリーブと、そのスリーブに固定され、浴槽水の吸入用開口部及び吐出用開口部を有する循環具本体とを備え、スリーブと循環具本体との間には凹凸の係合関係により循環具本体の抜け出しを防止する抜け防止手段を設けると共に、循環具本体の前面には吸入用開口部及び吐出用開口部を開閉する開閉弁を設け、かつ循環具本体の前面には装着用凹部を設けて前記開閉弁を覆うカバーをその表面が循環具本体の前面とほぼ面一となるように装着したことを特徴とするものである。
【０００７】
請求項２に記載の発明の浴槽用循環具は、請求項１に記載の発明において、前記循環具本体の装着用凹部は周縁部まで延びるように構成され、カバーはその装着用凹部に装着されるように構成されているものである。
【０００８】
請求項３に記載の発明は、請求項１又は請求項２に記載の発明において、前記吐出用開口部に設けられた開閉弁は弁体が容器内に収容され、付勢部材の付勢力によって開閉を行う逆止弁で構成されると共に、前記カバーは逆止弁を出し入れするために着脱可能に構成されているものである。
【発明の効果】
【０００９】
本発明によれば、次のような効果を発揮することができる。
請求項１に記載の発明の浴槽用循環具においては、循環具本体の前面に吸入用開口部及び吐出用開口部を開閉する開閉弁が設けられ、かつ循環具本体の前面には装着用凹部が設けられ、開閉弁を覆うカバーはその表面が循環具本体の前面とほぼ面一となるように装着されている。このため、循環具本体の厚みを変えることなく、凹凸の係合関係による抜け防止手段の機能を十分に発揮することができる。
【００１０】
請求項２に記載の発明の浴槽用循環具では、循環具本体の装着用凹部が周縁部まで延びるように構成され、カバーがその装着用凹部に装着されるように構成されている。このため、請求項１に係る発明の効果に加え、装着用凹部及びカバーの成形や取付けを容易に行なうことができる。
【００１１】
請求項３に記載の発明の浴槽用循環具では、吐出用開口部に設けられた開閉弁は弁体が容器内に収容され、付勢部材の付勢力によって開閉を行う逆止弁で構成されると共に、前記カバーは逆止弁を出し入れするために着脱可能に構成されている。このため、請求項１又は請求項２に係る発明の効果に加え、カバーを取り外すことによって逆止弁を簡単に清掃等することができる。
【発明を実施するための最良の形態】
【００１２】
以下、本発明の実施形態につき、図面を用いて詳細に説明する。
図１及び図２に示すように、本実施形態の浴槽用循環具１１は、浴槽の側壁１２に設けられた貫通孔１３に内側から挿入されるスリーブ１４と、側壁１２の外側に配置される後面ケース１５と、前記スリーブ１４に挿入固定される循環具本体１６と、該循環具本体１６に取付けられるフィルターケース１７とを備えている。
【００１３】
前記後面ケース１５は金属からなり、その後端部（図１及び図２の右端部）には、浴槽外の加熱器の強制循環配管の往き管１８及び戻り管１９とに接続される２本の配管接続部２０、２１が設けられており、その一方の配管接続部２０は中心部の内室２２に、他方の配管接続部２１は外周部の外室２３に接続されている。この場合、配管接続部２０が外室２３に接続され、配管接続部２１が内室２２に接続されても差し支えない。内室２２の開口側内周には、Ｏリング２４が嵌め込まれている。後面ケース１５の開口端部内周面には雌ねじ部２５が螺刻されている。後面ケース１５の開口端部にはフランジ部２６が設けられると共に、そのフランジ部２６にはシール材２７が被せられ、側壁１２の外側面との間の水密が確保されている。
【００１４】
スリーブ１４はポリアセタール等の合成樹脂により円筒状に形成され、その一端にはフランジ２８が突設されている。スリーブ１４の外周面には雄ねじ部２９が螺刻され、その雄ねじ部２９が浴槽の側壁１２の外側に配置される前記後面ケース１５の雌ねじ部２５に螺合され、スリーブ１４と後面ケース１５とが浴槽の側壁１２を挟んで連結固定されている。スリーブ１４の内周面には軸線方向に延びる複数（実施形態では一対）の位置決め突起３０が設けられている。フランジ２８の外周面には環状係合溝３１が凹設されている。フランジ２８と側壁１２の内側面との間にはパッキン３２が挟着され、両者間の水密を確保している。
【００１５】
循環具本体１６はポリアセタール等の合成樹脂により円柱状に形成され、その内端部の内周面には抜け防止爪３３が突設され、前記スリーブ１４の環状係合溝３１に係合されるようになっている。これら循環具本体１６の抜け防止爪３３と、スリーブ１４の環状係合溝３１とで循環具本体１６の抜け出しを防止する抜け防止手段が構成されている。図３（ａ）に示すように、循環具本体１６の中心部には、前記後面ケース１５の中心部に設けられた内室２２に接続される吸入用開口部としての吸入用通水路３４が設けられ、その周囲には後面ケース１５の外室２３に接続される吐出用開口部としての吐出用通水路３５が設けられている。これらの吸入用通水路３４と吐出用通水路３５との間には、水の流れを仕切る仕切壁３６が設けられている。また、循環具本体１６の後部には位置決め用の係合部が設けられ、前記スリーブ１４の位置決め突起３０に係合して循環具本体１６の周方向への回転が規制されている。
【００１６】
更に、図３（ａ）の右下部分には、前記吸入用通水路３４又は吐出用通水路３５に連なる一対の吐出用開口部３７、３８が設けられている。図３（ｃ）に示すように、吐出用開口部３７、３８は各底部が円弧状に形成されると共に、それらの中央部には仕切り用突条３９が形成されている。吐出用開口部３７，３８の開口端部側には循環具本体１６の前面と平行に延びるガイド部としてのガイド凹条４０が形成されている。
【００１７】
また、循環具本体１６の前面にはフィルターケース１７を介して浴槽内の浴槽水を吸い込むための吸入用開口部としての一対の吸入部４１、４２が凹設されている。これらの吸入部４１、４２と前記吸入用通水路３４及び吐出用通水路３５との間には図６（ａ）,（ｂ）に示すような開閉弁４３、４４（逆止弁）が各々配設され、浴槽水を吸入部４１から吸入用通水路３４へ導くように構成されている。
【００１８】
図３（ａ）及び図６（ａ）、（ｂ）に示すように、開閉弁４３、４４は循環具本体１６の前面に形成された支持凹部４５に支持される開閉弁本体４６と、その下面から後方へ延びる弁板４７とより構成されている。これらの開閉弁４３、４４はエチレン−プロピレン−ジエン共重合ゴム（ＥＰＤＭ）等のゴムにより形成されている。開閉弁本体４６の弁板４７の付け根部分には、断面半円状の切欠き部４８が設けられ、弁板４７が容易に開くようになっていると共に、弁板４７の先端部には厚肉部４９が設けられ、弁板４７の先端部を補強するようになっている。また、弁板４７の反対側は平坦面となり、その先端部が循環具本体１６のストッパ面５０に当接し、弁板４７の先端部が図中反時計方向へ回動するのを許容し、時計方向へ回動するのを防止するようになっている。そして、図６（ｂ）に示すように、吸入部４１，４２から浴槽水が吸入されたとき、弁板４７の反時計方向への回動を許容している。
【００１９】
図７（ｄ）に示すように、前記吐出用開口部３７，３８には図７（ａ）〜（ｃ）に示すような開閉弁としての逆止弁５１ａ、５１ｂが収容されている。この逆止弁５１ａ、５１ｂについて説明すると、容器としての円筒状をなす収容ケース５２の一端内周面には係合段部５３が設けられると共に、外周面には環状溝５４が周設されシールリング５５が嵌着されている。一方、収容ケース５２の他端には円弧状をなす複数の流通孔５６が透設されたキャップ５７が取付固定されている。収容ケース５２内には弁体５８が配設され、該弁体５８とキャップ５７内面との間には付勢部材としてのコイルスプリング５９が介装され、弁体５８が収容ケース５２の係合段部５３に係合するように付勢されている。弁体５８の外周面には円環状の収容溝６０が設けられ、シール材６１が嵌着されて弁体５８と収容ケース５２との間がシールされている。そして、図７（ｂ）に示すように、図中の左から右への水流によりコイルスプリング５９の付勢力に抗して弁体５８が左から右へ移動し、左から右への水の流れが許容される。逆に、図７（ａ）に示すように、図中の右から左への水流により弁体５８が収容ケース５２の係合段部５３に係合され、シール材６１によって右から左への水の流れが遮断される。
【００２０】
図８（ｂ）に示すように、循環具本体１６の前面中心部には円弧状の第１装着用凹部６２が設けられ、該第１装着用凹部６２には前記循環具本体１６の吸入部４１、４２、開閉弁４３、４４、吸入用通水路３４及び吐出用通水路３５を覆うように第１カバー６３が被せられるようになっている。図４（ａ）に示すように、第１カバー６３は円板の周囲の一部が直線状に切り欠かれたＤ型形状をなし、その周縁部の３箇所にはビスを挿通するためのビス挿通孔６４が透設されている。そして、図８（ｃ）に示すように、第１カバー６３を循環具本体１６の前面中心部に置いてビス挿通孔６４にビスを挿通して締付けることにより、第１カバー６３が循環具本体１６に固定される。この状態で、第１カバー６３が循環具本体１６の前面と面一になっている。
【００２１】
第１カバー６３の円弧部側には一対の吸入孔６５，６６がくの字状に透設されている。図４（ａ）,（ｃ）に示すように、第１カバー６３の表面の直線部近傍には規制用凹部６７が設けられている。図４（ｂ）に示すように、第１カバー６３裏面の直線部側には、該直線部と直交方向に延びる区画突起６８が設けられると共に、その両側には円弧部６９が形成され、前記一対の逆止弁５１ａ、５１ｂの基端部を上から押えるようになっている。尚、図４（ｂ）は図４（ａ）の４ｂで示す矢印方向から見た図である。
【００２２】
図１及び図８（ｂ）に示すように、前記循環具本体１６の吐出用開口部３７、３８には第２装着用凹部７０が設けられ、吐出用開口部３７、３８に収容された逆止弁５１ａ、５１ｂを覆うように第２カバー７１が装着される。図５（ａ）〜（ｄ）に示すように、第２カバー７１は略四角板状をなし、その両側にガイド部としてのガイド突条７２が突設され、前記吐出用開口部３７，３８のガイド凹条４０に嵌め込まれてスライドできるようになっている。第２カバー７１の基端部中央には突出部７３が設けられ、その裏面には規制突起７４が突設され、第２カバー７１を閉めたときに第１カバー６３の規制用凹部６７に係合されて第２カバー７１の抜け出しが規制されている。第２カバー７１の裏面中央には前記一対の逆止弁５１ａ、５１ｂを区画保持するための保持突条７５が設けられると共に、その先端部には保持突条７５と直交する方向へ延び、両逆止弁５１ａ、５１ｂが当接される当接面７６が設けられている。また、第２カバー７１表面の先端側には、指を掛けて第２カバー７１をスライドさせるための指掛け用凹部７７が設けられている。尚、図５（ｃ）は図５（ｂ）の５ｃで示す矢印方向から見た図である。
【００２３】
図１及び図２に示すように、フィルターケース１７は有底円筒状に形成され、その底壁には金網により略台形状に形成された多数の吸入用ネット７８が円環状に並んで配置され、そこから浴槽水を吸入するようになっている。フィルターケース１７の周壁７９には金網により吐出用ネット８０が設けられ、加熱された湯が吐出されるようになっている。循環具本体１６の外周には平面Ｌ字状をなす複数（本実施形態では３箇所）の係合凹所８１が設けられている。一方、図２に示すように、フィルターケース１７の内周面には係合突起８２が設けられ、循環具本体１６の係合凹所８１に係合されてフィルターケース１７が循環具本体１６に取付固定されるようになっている。
【００２４】
さて、上記のように構成された浴槽用循環具１１を浴槽の側壁１２に取付固定する場合には、図１及び図２に示すように、浴槽の側壁１２に設けられた貫通孔１３に内側からスリーブ１４を挿通し、その雄ねじ部２９を側壁１２の外側に配設された後面ケース１５の雌ねじ部２５に螺合して締付け固定する。そして、後面ケース１５の配管接続部２０を往き管１８に、配管接続部２１を戻り管１９に、それぞれ接続する。次いで、循環具本体１６の吸入用通水路３４をスリーブ１４内に挿入するようにして循環具本体１６の抜け防止爪３３をスリーブ１４の環状係合溝３１に係合させる。このとき、循環具本体１６を手でスリーブ１４側へ押圧するだけで簡単に係合させることができる。そして、吸入用通水路３４が後面ケース１５の内室２２に接続されると共に、吐出用通水路３５が後面ケース１５の外室２３に接続される。
【００２５】
次に、循環具本体１６に開閉弁４３、４４、吐出用開口部３７、３８の逆止弁５１ａ、５１ｂ、第１カバー６３及び第２カバー７１を取付ける方法について説明する。図８（ａ）に示すように、循環具本体１６前面の一対の吸入部４１、４２と吸入用通水路３４及び吐出用通水路３５との間に開閉弁４３、４４を装着すると共に、吐出用開口部３７、３８に一対の逆止弁５１ａ、５１ｂを装着する。
【００２６】
その後、図８（ｂ）に示すように、吸入部４１、４２、吸入用通水路３４、吐出用通水路３５及び開閉弁４３、４４を覆うように第１カバー６３を第１装着用凹部６２に嵌め込み、ビス挿通孔６４にビスを挿通して締付けることによって循環具本体１６に固定する。続いて、図８（ｃ）に示すように、第２カバー７１を循環具本体１６の第２装着用凹部７０に嵌め込み、第２カバー７１のガイド突条７２を第２装着用凹部７０のガイド凹条４０に係合させてスライドさせ、第２カバー７１の規制突起７４を第１カバー６３の規制用凹部６７に係合させる。このようにして、図８（ｄ）に示すように、第１カバー６３及び第２カバー７１を循環具本体１６に固定することができる。このとき、第１カバー６３及び第２カバー７１の前面は循環具本体１６の前面と面一になる。
【００２７】
次に、浴槽の側壁１２に取付固定された浴槽用循環具１１を使用する場合には、例えば、配管接続部２０を往き管１８に、配管接続部２１を戻り管１９に、それぞれ接続させる。そして、浴槽外の加熱器で浴槽水を循環させると、浴槽水はフィルターケース１７前面の吸入用ネット７８から吸い込まれ、第１カバー６３の吸入孔６５を通って循環具本体１６の吸入部４１に到る。浴槽水はその吸入部４１から開閉弁４３を通って吸入用通水路３４に流れ、更に往き管１８を経て加熱器へと流れる。加熱器で加熱された湯は戻り管１９から吐出用通水路３５を介して循環具本体１６の前面に出て、更に逆止弁５１ａを通り、吐出用開口部３７からフィルターケース１７の吐出用ネット８０を経て浴槽内へ吐出される。その結果、浴槽水の温度が上昇する。
【００２８】
この場合、浴槽用循環具１１を浴槽の側壁１２に取付ける際に、上記とは逆に配管接続部２０を戻り管１９に接続し、配管接続部２１を往き管１８に接続させたときには、浴槽水はフィルターケース１７前面の吸入用ネット７８から吸い込まれ、第１カバー６３の吸入孔６６を通って循環具本体１６の吸入部４２に到る。浴槽水はその吸入部４２から開閉弁４４を通って吐出用通水路３５に流れ、更に往き管１８を経て加熱器へと流れる。加熱器で加熱された湯は戻り管１９から他方の吸入用通水路３４を介して循環具本体１６の前面に出て、更に逆止弁５１ｂを通り、吐出用開口部３８からフィルターケース１７の吐出用ネット８０を経て浴槽内へ吐出される。
【００２９】
前記循環具本体１６の前面に装着される第１カバー６３は吸入部４１，４２、開閉弁４３、４４、吸入用通水路３４及び吐出用通水路３５の部分のみを覆うように構成され、第２カバー７１は吐出用開口部３７、３８のみを覆うように構成されている。つまり、第１カバー６３は循環具本体１６の前面に設けた第１装着用凹部６２に装着され、第２カバー７１は循環具本体１６前面の第２装着用凹部７０に装着されるように構成されている。そして、第１カバー６３及び第２カバー７１の前面と循環具本体１６の前面とは面一に形成される。従って、第１カバー６３及び第２カバー７１の厚み付加することなく、循環具本体１６のみの厚みと同じ厚みにすることができる。そして、ねじやビス等の取付け用部品を使用することなく、スリーブ１４の環状係合溝３１に対して循環具本体１６の抜け防止爪３３を凹凸の係合関係によってワンタッチで循環具本体１６をスリーブ１４に係合させることにより、簡単に循環具本体１６の抜け防止を行うことができる。
【００３０】
また、循環具本体１６の吐出用開口部３７、３８が循環具本体１６の周縁部まで切り欠かれており、そこに第２カバー７１が装着されているため、循環具本体１６及び第２カバー７１の成形を容易に行うことができると共に、第２カバー７１の組付け及び取外しを簡単に行うことができる。更に、吐出用開口部３７，３８に装着される逆止弁５１ａ、５１ｂは、弁体５８が収容ケース５２内に収容された構造を有していることから、第２カバー７１をスライドさせて取り出すことができ、取り出された逆止弁５１ａ、５１ｂはその状態で分解して清掃等を行うことができる。その後、循環具本体１６の吐出用開口部３７、３８に再び収容して使用することができ、取扱いを良好にすることができる。
【００３１】
以上の実施形態によって発揮される効果について、以下に記載する。
・  実施形態における浴槽用循環具１１は、循環具本体１６の前面に吸入用通水路３４及び吐出用通水路３５を開閉する開閉弁４３、４４を設け、かつ循環具本体１６の前面に第１装着用凹部６２及び第２装着用凹部７０を設けて開閉弁４３、４４を覆う第１カバー６３及び第２カバー７１が装着されている。そして、これら第１カバー６３及び第２カバー７１の表面が循環具本体１６の前面とほぼ面一となるように形成されている。このため、循環具本体１６の厚みを変えることなく、凹凸の係合関係による抜け防止手段の機能を十分に発揮することができる。抜け防止手段として、ねじやビス等の取付け用部品を使用しないので、部品点数が少なくなると共に、部品紛失にともなう不都合を未然に防止でき、製品コストを低減できる。
【００３２】
・  また、循環具本体１６の第２装着用凹部７０が周縁部まで延びるように構成され、第２カバー７１がその第２装着用凹部７０に装着されるように構成されている。このため、第２装着用凹部７０及び第２カバー７１の成形や取付けを容易に行なうことができる。
【００３３】
・  更に、吐出用開口部３７、３８に設けられた逆止弁５１ａ、５１ｂは弁体５８が収容ケース５２内に収容され、付勢部材としてのコイルスプリング５９の付勢力によって開閉を行うように構成されると共に、第２カバー７１は逆止弁５１ａ、５１ｂを出し入れするために着脱可能に構成されている。このため、第２カバー７１を取り外すことによって逆止弁５１ａ、５１ｂを独立した部品として取り出し、分解して点検、清掃等を簡単に行うことができる。
【００３４】
なお、本実施形態は、次のように変更して具体化することも可能である。
・  前記循環具本体１６の吸入部４１及び吸入部４２、吸入用通水路３４及び吐出用通水路３５、吐出用開口部３７及び吐出用開口部３８を各々１つずつ設けることもできる。この場合、循環具本体１６の吸入用通水路３４、後面ケース１５の配管接続部２０及び強制循環配管の往き管１８を接続すると共に、循環具本体１６の吐出用通水路３５、後面ケース１５の配管接続部２１及び強制循環配管の戻り管１９を接続する必要がある。
【００３５】
・  前記後面ケース１５の配管接続部２０、２１を省略し、それらをスリーブ１４や循環具本体１６に設け、加熱器の強制循環配管の往き管１８及び戻り管１９に接続するように構成することも可能である。
【００３６】
・  前記フィルターケース１７を省略することも可能である。この場合、第１カバー６３の吸入孔６５にはフィルターを設けることが好ましい。
・  前記実施形態では吸入部４１、４２を循環具本体１６の前面に設けて浴槽水を前面から吸入するように構成したが、吸入部４１、４２を循環具本体１６の側部に設けて浴槽水を側方から吸入するように構成することもできる。また、吐出用開口部３７，３８を循環具本体１６の下部に設けて加熱された湯を下方へ吐出することもできる。
【００３７】
更に、前記実施形態より把握できる技術的思想について以下に記載する。
(1)  前記カバーは、循環具本体の前面中央部に設けられる第１カバーと、該第１カバーより循環具本体の周縁部に到る第２カバーとから構成されている請求項２又は請求項３に記載の浴槽用循環具。このように構成した場合、カバーの成形を容易に行うことができると共に、第２カバーのみを着脱容易な構造にしたり等して取り扱いを容易にすることができる。
【００３８】
(2)  前記第２カバーと循環具本体には凹凸関係により係合するガイド部を設け、第２カバーがスライド可能に構成されている上記技術思想(1)に記載の浴槽用循環具。このように構成した場合、第２カバーの着脱を容易に行うことができる。
【００３９】
(3)  前記吸入用開口部、吐出用開口部及び開閉弁は各一対ずつ設けられ、各一対の吸入用開口部と吐出用開口部とが加熱器の循環配管の往き管又は戻り管に接続され、各一対の吸入用開口部と吐出用開口部とがそれぞれ吸入側及び吐出側のいずれであっても使用可能に構成されている請求項１から請求項３のいずれか一項に記載の浴槽用循環具。このように構成した場合、浴槽用循環具を浴槽の側壁に取付けるとき、各一対の吸入用開口部と吐出用開口部とを吸入側及び吐出側のいずれに接続しても使用することができ、取付け作業を容易にすることができる。
【図面の簡単な説明】
【００４０】
【図１】実施形態における浴槽用循環具を示す分解斜視図。
【図２】浴槽用循環具を分解して示す断面図。
【図３】（ａ）循環具本体を前面から見た状態を示す正面図、（ｂ）は（ａ）の３ｂ−３ｂ線における断面図、（ｃ）は（ａ）の３ｃ−３ｃ線における断面図。
【図４】（ａ）第１カバーを示す正面図、（ｂ）は（ａ）の４ｂ方向から見た側面図、（ｃ）は（ａ）の４ｃ−４ｃ線における断面図。
【図５】（ａ）は第２カバーを示す正面図、（ｂ）は第２カバーを示す背面図、（ｃ）は（ｂ）の５ｃ方向から見た側面図、（ｄ）は（ｂ）の５ｄ−５ｄ線における断面図。
【図６】（ａ）は吸入側の開閉弁を循環具本体に配設した状態を示す断面図、（ｂ）は開閉弁の作用を示す断面図。
【図７】（ａ）は吐出側の逆止弁を示す断面図、（ｂ）は逆止弁の作用を示す断面図、（ｃ）は逆止弁の右側面図、（ｄ）は逆止弁を循環具本体の吐出部に装着した状態を示す断面図。
【図８】（ａ）は循環具本体の前面に吸入側の開閉弁及び吐出側の逆止弁を装着する状態を分解して示す正面図、（ｂ）は第１カバー及び第２カバーを循環具本体に装着する状態を分解して示す正面図、（ｃ）は第２カバーを循環具本体に装着する状態を分解して示す正面図、（ｄ）は循環具本体の前面に吸入側の開閉弁、吐出側の逆止弁、第１カバー及び第２カバーを装着した状態を示す正面図。
【符号の説明】
【００４１】
１１…浴槽用循環具、１２…側壁、１３…貫通孔、１４…スリーブ、１６…循環具本体、３１…抜け防止手段を構成する環状係合溝、３３…抜け防止手段を構成する抜け防止爪、３４…吸入用通水路、３５…吐出用通水路、３７、３８…吐出用開口部、４１、４２…吸入用開口部としての吸入部、４３、４４…開閉弁、５１ａ、５１ｂ…逆止弁、５２…容器としての収容ケース、５８…弁体、５９…付勢部材としてのコイルスプリング、６２…第１装着用凹部、６３…第１カバー、７０…第２装着用凹部、７１…第２カバー。
【図１】
2005345070.tif 000003
【図２】
2005345070.tif 000004
【図３】
2005345070.tif 000005
【図４】
2005345070.tif 000006
【図５】
2005345070.tif 000007
【図６】
2005345070.tif 000008
【図７】
2005345070.tif 000009
【図８】
2005345070.tif 000010